【手続補正書】
【提出日】平成20年4月10日(2008.4.10)
【手続補正１】
【補正対象書類名】特許請求の範囲
【補正対象項目名】全文
【補正方法】変更
【補正の内容】
【特許請求の範囲】
【請求項１】
試料中の１つまたは２つ以上の被験物の濃度を測定するための分光学的装置において、
ａ）電磁放射線（EMR）の線源、
ｂ）前記EMR線源と試料スロットとの間の光路を形成するためこの２つの間に位置する第１絞り、
ｃ）前記光路内に置かれる試料容器を受け止める、前記装置内の試料スロット、
ｄ）前記試料スロットと１つまたは２つ以上の光検出器の間にあって、光路内に位置する第２絞り、前記１つまたは２つ以上の光検出器は前記分光学的装置と操作上連携する、および
ｅ）前記分光学的装置と操作上連携する、１つまたは２つ以上の被験物についての、１つまたは２つ以上の主キャリブレーションアルゴリズム改良型であって、
前記１つまたは２つ以上の主キャリブレーションアルゴリズム改良型は、１つまたは２つ以上の他の装置から得た、主キャリブレーションセットに由来する一部または全てのキャリブレーションデータセットと、
前記主キャリブレーションセットの試料と弁別されかつ類似の試料を含み前記主キャリブレーションセットよりも少ないキャリブレーションセットを使用して、前記分光学的装置から得られた追加のデータを統合して前記分光学的装置で開発される主キャリブレーションアルゴリズム改良型、
からなる分光学的装置。
【請求項２】
さらに試料容器を含む請求項１に記載の分光学的装置。
【請求項３】
前記試料容器が、キュベット、試料タブ、ピペット・チップ、チュービング、ラベルを貼ったテストチューブ、ラベルを貼っていないテストチューブ、血液バッグチュービング、透明試料容器、半透明試料容器およびフロースルーキュベットからなる群から選択される、請求項２に記載の分光学的装置。
【請求項４】
前記試料容器が試料タブであり、前記試料タブが、蓋板と基板との間に置かれた試料を含み、前記蓋板の少なくとも一部が透明または半透明であり、前記基板の少なくとも一部が透明または半透明であり、前記蓋板が前記基板にちょうつがいで接続される、請求項２に記載の分光学的装置。
【請求項５】
前記EMRの線源が、１つのタングステンランプ、１つまたは２つ以上の発光ダイオード（LED）および１つまたは２つ以上のレーザからなる群から選択される、請求項１に記載の分光学的装置。
【請求項６】
前記１つまたは２つ以上の光検出器が、光ダイオードまたは電荷結合素子（CCD）からなる群から選択される、請求項１に記載の分光学的装置。
【請求項７】
前記１つまたは２つ以上の光検出器が、前記分光学的装置内の分光器に内蔵された列に並んだ検出器からなり、前記分光器はさらに回折格子からなる、請求項１に記載の分光学的装置。
【請求項８】
前記１つまたは２つ以上のキャリブレーションアルゴリズムが、波長標準セットの１つまたは２つ以上の波長におけるキャリブレーション試料の吸光度の次導関数、および単純線形回帰、重線形回帰および多変量解析からなる群から選択される統計技法を使用して開発された、請求項１に記載の分光学的装置。
【請求項９】
前記多変量解析が、部分最小二乗、主成分分析、ニューラル・ネットワークおよび遺伝的アルゴリズムからなる群から選択される、請求項８に記載の分光学的装置。
【請求項１０】
前記試料容器が試料を含み、前記試料が、全血、血清、血漿、尿、滑液、リンパ液、唾液、糞便、髄液および非生体試料からなる群から選択される、請求項２に記載の分光学的装置。
【請求項１１】
前記１つまたは２つ以上の主キャリブレーションアルゴリズムが、Hbをベースとする血液代替物、Total-Hb、 Oxy-Hb、「Total-HbマイナスMet-Hb」、Met -Hb、ビリルビン、ビリベルジン、メチレンブルー、およびその組合せからなる群から選択される被験物についての用途のものである、請求項１に記載の分光学的装置。
【請求項１２】
試料中の１つまたは２つ以上の被験物の濃度を測定するための分光学的装置において、
ａ）光路を形成するための電磁放射線（EMR）の線源、
ｂ）前記EMRの線源と試料スロットとの間の光路に位置する絞り、
ｃ）前記光路内に置かれ、試料容器を受け止める試料スロットであって、前記試料スロットは、第１サイドおよび第２サイドからなり、前記第１サイドはEMRの線源に面している、
ｄ）第２サイドにあるまたはその近傍にある反射部材であり、前記反射部材は、反射光路を形成するため試料スロットを通過するEMRを反射するためにある、
ｅ）反射光路内に置かれた１つまたは２つ以上の光検出器であって、前記１つまたは２つ以上の光検出器は、前記分光学的装置と操作上連携する、および、
ｆ）前記分光学的装置と操作上連携する、１つまたは２つ以上の被験物についての、１つまたは２つ以上の主キャリブレーションアルゴリズム改良型であって、
前記１つまたは２つ以上の主キャリブレーションアルゴリズム改良型は、１つまたは２つ以上の他の装置から得た、主キャリブレーションセットに由来する一部または全てのキャリブレーションデータセットと、
前記主キャリブレーションセットの試料と弁別されかつ類似の試料を含み前記主キャリブレーションセットよりも少ないキャリブレーションセットを使用して、前記分光学的装置から得られた追加のデータを統合して前記分光学的装置で開発される主キャリブレーションアルゴリズム改良型、
からなる分光学的装置。
【請求項１３】
さらに試料容器を含む請求項１２に記載の分光学的装置。
【請求項１４】
前記試料容器が、キュベット、試料タブ、ピペット・チップ、チュービング、ラベルを貼ったテストチューブ、ラベルを貼っていないテストチューブ、血液バッグチュービング、透明試料容器、半透明試料容器およびフロースルーキュベットからなる群から選択される、請求項１３に記載の分光学的装置。
【請求項１５】
前記試料容器が試料タブであり、前記試料タブが、蓋板と基板との間に置かれた試料を含み、前記蓋板の少なくとも一部が反射性、透明または半透明であり、前記基板の少なくとも一部が反射性、透明または半透明であり、前記蓋板が前記基板にちょうつがいで接続される、請求項１３に記載の分光学的装置。
【請求項１６】
前記EMRの線源が、１つのタングステンランプ、１つまたは２つ以上の発光ダイオード（LED）および１つまたは２つ以上のレーザからなる群から選択される、請求項１２に記載の分光学的装置。
【請求項１７】
前記１つまたは２つ以上の光検出器が、光ダイオードまたは電荷結合素子（CCD）からなる群から選択される、請求項１２に記載の分光学的装置。
【請求項１８】
前記１つまたは２つ以上の光検出器が、前記分光学的装置内の分光器に内蔵された列に並んだ検出器からなり、前記分光器がさらに回折格子からなる、請求項１２に記載の分光学的装置。
【請求項１９】
前記１つまたは２つ以上のキャリブレーションアルゴリズムが、波長標準セットの１つまたは２つ以上の波長におけるキャリブレーション試料の吸光度の次導関数、および単純線形回帰、重線形回帰および多変量解析からなる群から選択される統計技法を使用して開発された、請求項１２に記載の分光学的装置。
【請求項２０】
前記多変量解析が、部分最小二乗、主成分分析、ニューラル・ネットワークおよび遺伝的アルゴリズムからなる群から選択される、請求項１９に記載の分光学的装置。
【請求項２１】
前記試料容器が試料を含み、前記試料が、全血、血清、血漿、尿、滑液、リンパ液、唾液、糞便、髄液および非生体試料からなる群から選択される、請求項１３に記載の分光学的装置。
【請求項２２】
前記１つまたは２つ以上の主キャリブレーションアルゴリズムが、Hbをベースとする血液代替物、Total-Hb、 Oxy-Hb、「Total-HbマイナスMet-Hb」、Met-Hb、ビリルビン、ビリベルジン、メチレンブルー、およびその組合せからなる群から選択される被験物についての用途のものである、請求項１２に記載の分光学的装置。
【請求項２３】
試料中の１つまたは２つ以上の被験物の濃度を測定するための分光学的装置において、
ａ）光路を生成するための電磁放射線（EMR）の線源、
ｂ）前記EMRの線源と試料スロットとの間の光路内に位置する絞り、
ｃ）前記光路内に置かれ、試料容器を受け止める試料スロット、
ｄ）前記試料スロットの、EMRの線源と同じ側に位置する１つまたは２つ以上の光検出器であって、前記１つまたは２つ以上の光検出器は、分光学的装置と操作上連携する、および、
ｅ）前記分光学的装置と操作上連携する、１つまたは２つ以上の被験物についての、１つまたは２つ以上の主キャリブレーションアルゴリズム改良型であって、
前記１つまたは２つ以上の主キャリブレーションアルゴリズム改良型は、１つまたは２つ以上の他の装置から得た、主キャリブレーションセットに由来する一部または全てのキャリブレーションデータセットと、
前記主キャリブレーションセットの試料と弁別されかつ類似の試料を含み前記主キャリブレーションセットよりも少ないキャリブレーションセットを使用して、前記分光学的装置から得られた追加のデータを統合して前記分光学的装置で開発される主キャリブレーションアルゴリズム改良型、
からなる分光学的装置。
【請求項２４】
さらに試料容器を含む請求項２３に記載の分光学的装置。
【請求項２５】
前記試料容器が、キュベット、試料タブ、ピペット・チップ、チュービング、ラベルを貼ったテストチューブ、ラベルを貼っていないテストチューブ、血液バッグチュービング、透明試料容器、半透明試料容器およびフロースルーキュベットからなる群から選択される、請求項２４に記載の分光学的装置。
【請求項２６】
前記試料容器が試料タブであり、前記試料タブが、蓋板と基板との間に置かれた試料を含み、前記蓋板の少なくとも一部が反射性、透明または半透明であり、前記基板の少なくとも一部が反射性、透明または半透明であり、前記蓋板が前記基板にちょうつがいで接続される、請求項２４に記載の分光学的装置。
【請求項２７】
前記EMRの線源が、１つのタングステンランプ、１つまたは２つ以上の発光ダイオード（LED）および１つまたは２つ以上のレーザからなる群から選択される、請求項２３に記載の分光学的装置。
【請求項２８】
前記１つまたは２つ以上の光検出器が、光ダイオードまたは電荷結合素子（CCD）からなる群から選択される、請求項２３に記載の分光学的装置。
【請求項２９】
前記１つまたは２つ以上の光検出器が、分光学的装置内の分光器に内蔵された列に並んだ検出器からなり、前記分光器がさらに回折格子からなる、請求項２３に記載の分光学的装置。
【請求項３０】
前記１つまたは２つ以上のキャリブレーションアルゴリズムが、波長標準セットの１つまたは２つ以上の波長におけるキャリブレーション試料の吸光度の次導関数、および単純線形回帰、重線形回帰および多変量解析からなる群から選択される統計技法を使用して開発された、請求項２３に記載の分光学的装置。
【請求項３１】
前記多変量解析が、部分最小二乗、主成分分析、ニューラル・ネットワークおよび遺伝的アルゴリズムからなる群から選択される、請求項３０に記載の分光学的装置。
【請求項３２】
前記試料容器が試料を含み、前記試料が、全血、血清、血漿、尿、滑液、リンパ液、唾液、糞便、髄液および非生体試料からなる群から選択される、請求項２４に記載の分光学的装置。
【請求項３３】
前記１つまたは２つ以上の主キャリブレーションアルゴリズムが、Hbをベースとする血液代替物、Total-Hb、 Oxy-Hb、「Total-HbマイナスMet-Hb」、Met-Hb、ビリルビン、ビリベルジン、メチレンブルー、およびその組合せからなる群から選択される被験物についての用途のものである、請求項２３に記載の分光学的装置。